(57)【要約】  本発明は、二重構造となされた医療用ギプスに関する。本発明は、医療用ギプスにおいて、患者の患部と接触し、皮膚との密着力を向上させるために機能性繊維を少なくとも２種類以上混用して製織し、網形態のひし形網穴が形成されるように製造される皮膚保護具；前記皮膚保護具の外側を包むように構成され、ギプスの間に汗や老廃物を吸収する内面支持ギプスと、内面支持ギプスの外側面を包み、通気性を向上させる内側通風チャネルと、ギプスの伸縮性を向上させる密着補強部と、医療用ギプスの一次剛性を提供する内側剛性補強部とが構成された内側支持ギプス；及び前記内側支持ギプスの外側を包むように構成され、水硬性硬化液が含浸し、外周面に沿って形成される外側通風チャネルと、この外側通風チャネルと連結構成され、所定の伸縮力を提供する密着補強部が形成され、外側一面には、カッター刃の進行方向を案内するカッター部と、カッター部の両側に構成され、医療用ギプスの二次剛性を提供する外側剛性補強部とが形成された外側支持ギプスを含むことを特徴とする医療用ギプスを提供する。
2016538100.tif 000002
【特許請求の範囲】
【請求項１】
医療用ギプスにおいて、
患者の患部と接触し、皮膚との密着力を向上させるために機能性繊維を少なくとも２種類以上混用して製織し、網形態のひし形網穴が形成された皮膚保護具；
前記皮膚保護具の外側を包むように構成され、ギプスの間に汗や老廃物を吸収する内面支持ギプスと、内面支持ギプスの外側面を包み、通気性を向上させる内側通風チャネルと、ギプスの伸縮性を向上させる密着補強部と、医療用ギプスの一次剛性を提供する内側剛性補強部とが構成された内側支持ギプス；及び
前記内側支持ギプスの外側を包むように構成され、水硬性硬化液が含浸し、外周面に沿って形成される外側通風チャネルと、この外側通風チャネルと連結構成され、所定の伸縮力を提供する密着補強部が形成され、外側一面には、カッター刃の進行方向を案内するカッター部と、カッター部の両側に構成され、医療用ギプスの二次剛性を提供する外側剛性補強部とが形成された外側支持ギプスを含むことを特徴とする医療用ギプス。
【請求項２】
前記内側通風チャネル及び前記外側通風チャネルは、網形態のひし形網穴で形成され、網穴の広さは、それぞれ０．６ｍｍ及び０．２ｍｍ〜０．５ｍｍの広さに製造されていることを特徴とする請求項１に記載の医療用ギプス。
【請求項３】
前記内側支持ギプス及び外側支持ギプスの上側及び下側端部には、スパン糸からなり、所定の弾性圧力を提供するしぼり端部が構成されていることを特徴とする請求項１に記載の医療用ギプス。
【請求項４】
前記内側剛性補強部は、その両側に内側通風チャネル及び内面支持ギプスと固定されるように内側モールディング部がさらに構成されていることを特徴とする請求項１に記載の医療用ギプス。
【請求項５】
前記外側剛性補強部は、その両側に外側通風チャネル及びカッティング部と固定されるように外側モールディング部がさらに構成されていることを特徴とする請求項１に記載の医療用ギプス。
【請求項６】
前記外側支持ギプスの表面には、色相、文句または装飾句の少なくとも二つ以上が構成されていることを特徴とする請求項１に記載の医療用ギプス。
【請求項７】
前記内側支持ギプスと外側支持ギプスは、互いに対向する位置を有するように連結ラインによって一体に連結され、互いに対称となるように構成されていることを特徴とする請求項１に記載の医療用ギプス。
【請求項８】
前記内側支持ギプスまたは外側支持ギプスのいずれか一つには、所定の接着力を有する脱着部が構成され、患者の患部を包むように着用されるようにすることを特徴とする請求項１に記載の医療用ギプス。
【請求項９】
前記内側支持ギプス及び外側支持ギプスは、患者の身体構造によって、パイプ状、筌状、台形状、ポット状、扇形状、チューブ状、腕・脚状のいずれか一つに作製されることを特徴とする請求項１に記載の医療用ギプス。
【請求項１０】
前記皮膚保護具は、患者の皮膚に直接接触する内層と、前記内側支持ギプス、または前記外側支持ギプスのいずれか一つの内面をなす綿糸と接する外層とからなることを特徴とする請求項１に記載の医療用ギプス。
【請求項１１】
前記皮膚保護具、前記内側支持ギプス及び前記外側支持ギプスは、微細バクテリアが生息することを遮断するために殺菌剤及び抗菌剤が配合され、防水コーティング剤が混合されていることを特徴とする請求項１に記載の医療用ギプス。
【請求項１２】
前記機能性繊維は、ポリエステル糸とスパンカバーリング糸、ポリオレフィン、ポリプロピレン糸、コアテックス、オレフィン糸のいずれか一つであることを特徴とする請求項１に記載の医療用ギプス。
【請求項１３】
前記皮膚保護具は、合成ゼオライトと、合成光触媒剤が一定割合で混合されており、混合された混合組成物が皮膚保護具の表面に塗布及び乾燥され得るように遠赤外線発生器に投入し、合成ゼオライト、合成光触媒剤及び遠赤外線の放射がなされることを特徴とする請求項１に記載の医療用ギプス。
【請求項１４】
前記合成ゼオライトは、２μｍ〜５μｍの粒径を有することを特徴とする請求項１３に記載の医療用ギプス。
【請求項１５】
前記合成ゼオライト及び合成光触媒剤は、全重量において、合成ゼオライト１０〜４０重量％、二酸化チタン５〜８重量％、ルチル８〜１０重量％、アナターゼ１２〜１７重量％、ブルッカイト１５〜２０重量％、カルシウム７〜１４重量％、天然ミネラル５〜８重量％、セリサイト８〜１３重量％で混合されることを特徴とする請求項１３に記載の医療用ギプス。
【請求項１６】
前記合成光触媒剤（Ｓｙｎｔｈｅｔｉｃ  Ｐｈｏｔｏ  Ｃａｔａｌｙｓｔｓ）は、０．２μｍ〜０．３μｍに薄化してなることを特徴とする請求項１３に記載の医療用ギプス。
【発明の詳細な説明】
【技術分野】
【０００１】
本発明は、二重構造となされた医療用ギプスに関する。さらに詳細には、優れた通気性を有するように通気チャネルが形成され、水分の排出が容易であり、特殊綿糸材質を利用して製造することにより、優れた透過性が提供できて、Ｘ−Ｒａｙ透過性を向上させることができ、身体の各関節及び屈曲部分に折り畳み現象がないように強力な密着力と、支持体及び皮膚保護具に剛性補強手段が構成され、身体の荷重に十分に耐えられるようにした二重構造となされた医療用ギプスに関する。
【背景技術】
【０００２】
一般に、骨折患者のギプス施術は、皮膚との接触部位に皮膚保護用布（ストッキネット）を被せ、その上に綿包帯を巻き付けた後、石膏包帯や水硬性キャスティングテープ等を数回巻き付けて硬化させる方法で処置する。
【０００３】
しかし、このようなギプス施術の場合、皮膚保護用布上に綿包帯が一定の厚さで数回重複して螺旋状に巻き付けられているため、通気性が落ちて患部から発生する汗の排出が円滑でない等、患者は、掻痒感や窮屈さを感じるようになり、皮膚ただれ及び水泡等の二次感染の恐れが高い短所がある。
【０００４】
特に、ギプス施術は、ギプス綿糸を利用して、ほとんど薄いテープ型ガラス繊維やポリエステル糸に硬化液を含浸させ、患部に数重に重ねることにより、使用者の施術方法によって巻き付けられる圧力や厚さが不規則的に巻き付けられ、患者が一様な圧迫ではなく、部分的に異なる圧迫を受けて、血液循環の障害を招くこともあり、施術が複雑で、皮膚保護具としては、ストッキネットと綿包帯を使用することにより、皮膚との通風性がほとんどないので、掻痒症や窮屈さ、不潔、激しい悪臭等、多くの問題点を有している。
【０００５】
これによって、韓国登録特許第０６９３２２１号（２００７．０３．０５．）には、前述した問題点を解決するためのギプスの皮膚保護具が開示されている。このような先行技術は、全面積にわたって多数の独立したセルを有すると同時にポリウレタンフォームを挟んで上下に無孔型フィルムと多孔型フィルムが積層されるシート形態を基にして身体患部の屈曲形状に合う袋形態となされるものであり、シート形態を基にする袋形態は、親指と残りの４つの指をそれぞれ入れることができると同時に両端部が空いており、手首部位を包みながら手の甲及び肘側に長く延びる長い手袋形態に構成されるものである。
【０００６】
しかし、従来の技術にかかる医療用ギプスは、施術後、通風性を確保することが難しく、患者が掻痒感に苦しまざるを得ず、長期間ギプスを着用しなければならないため、ギプス部位から発生する汗等の水分の排出が円滑でなく、深刻な悪臭と皮疹等の傷が伴うことはもちろん、身体の荷重が持続的に伝達されてギプスの表面層の損傷または破損が発生し、ギプスの治療効率が顕著に劣る問題点がある。
【発明の概要】
【発明が解決しようとする課題】
【０００７】
このような問題点を解決するために、本発明は、整形外科において用いられる医療用ギプス、または応急処置用ギプスを二重に構成されたストッキングタイプで製造することにより、ギプスの施術がさらに便利になされるようにし、施術正確度を向上させて医療用ギプスの施術時間を大幅に短縮することができるだけでなく、患者の患部と関係なく均一な圧力を提供し、安らかな着用感を提供できるようにすることにその目的がある。
【０００８】
また、本発明は、優れた通気性を有するように通気チャネルが形成され、水分の排出が容易であり、特殊綿糸材質を利用して製造することにより、優れた透過性を提供することができ、Ｘ−Ｒａｙ透過性を向上させて微細な骨癒合の進行状態を容易に確認できるようにすることにその目的がある。
【０００９】
また、本発明は、身体の各関節及び屈曲部分に折り畳み現象がないように密着力を提供し、支持体及び皮膚保護具に剛性補強手段が構成され、身体の荷重に十分に耐えられるようにすることで、使用者がより安らかに医療用ギプスを使用するようにすることにその目的がある。
【００１０】
また、本発明は、ギプスを外すとき、カッティング刃により患者の皮膚に発生する傷及び医療用ギプスと皮膚との直接的な摩擦によって発生する傷を防止し、二次感染が発生することを遮断することにその目的がある。
【００１１】
また、本発明は、ストッキングタイプで製造される医療用ギプスを提供することにより、様々な模様及び色相に製造し、より審美感に卓越した医療用ギプスを提供することにその目的がある。
【課題を解決するための手段】
【００１２】
このような課題を達成するための本発明は、医療用ギプスにおいて、患者の患部と接触し、皮膚との密着力を向上させるために機能性繊維を少なくとも２種類以上混用して製織し、網形態のひし形網穴が形成されるように製造される皮膚保護具；前記皮膚保護具の外側を包むように構成され、ギプスの間に汗や老廃物を吸収する内面支持ギプスと、内面支持ギプスの外側面を包み、通気性を向上させる内側通風チャネルと、ギプスの伸縮性を向上させる密着補強部と、医療用ギプスの一次剛性を提供する内側剛性補強部とが構成された内側支持ギプス；及び前記内側支持ギプスの外側を包むように構成され、水硬性硬化液が含浸し、外周面に沿って形成される外側通風チャネルと、この外側通風チャネルと連結構成され、所定の伸縮力を提供する密着補強部が形成され、外側一面にはカッター刃の進行方向を案内するカッター部と、カッター部の両側に構成され、医療用ギプスの二次剛性を提供する外側剛性補強部とが形成された外側支持ギプスを含むことを特徴とする医療用ギプスを提供する。
【００１３】
また、本発明は、前記内側及び外側通風チャネルは、網形態のひし形網穴で形成され、網穴の広さは、それぞれ０．６ｍｍ及び０．２ｍｍ〜０．５ｍｍの広さに製造されることを特徴とする医療用ギプスを提供する。
【００１４】
また、本発明は、前記内側支持ギプス及び外側支持ギプスの上側及び下側端部には、スパン糸からなり、所定の弾性圧力を提供するしぼり端部が構成されることを特徴とする医療用ギプスを提供する。
【００１５】
また、本発明は、前記内側剛性補強部は、その両側に内側通風チャネル及び内面支持ギプスと固定されるように内側モールディング部がさらに構成されることを特徴とする医療用ギプスを提供する。
【００１６】
また、本発明は、前記外側剛性補強部は、その両側に外側通風チャネル及びカッティング部と固定されるように外側モールディング部がさらに構成されることを特徴とする医療用ギプスを提供する。
【００１７】
また、本発明は、前記外側支持ギプスの表面には、色相、文句または装飾句の少なくとも二つ以上が構成されることを特徴とする医療用ギプスを提供する。
【００１８】
また、本発明は、前記内側支持ギプスと外側支持ギプスは、互いに対向する位置を有するように連結ラインによって一体に連結され、互いに対称となるように構成されることを特徴とする医療用ギプスを提供する。
【００１９】
また、本発明は、前記内側支持ギプスまたは外側支持ギプスのいずれか一つには、所定の接着力を有する脱着部が構成され、患者の患部を包むように着用されるようにすることを特徴とする医療用ギプスを提供する。
【００２０】
また、本発明は、前記内側支持ギプス及び外側支持ギプスは、患者の身体構造によって、パイプ状、筌状、台形状、ポット状、扇形状、チューブ状、腕・脚状のいずれか一つに作製されることを特徴とする医療用ギプスを提供する。
【００２１】
また、本発明は、前記皮膚保護具は、患者の皮膚に直接接触する内層と、内側支持ギプス、または外側支持ギプスのいずれか一つの内面をなす綿糸と接する外層とからなることを特徴とする医療用ギプスを提供する。
【００２２】
また、本発明は、前記皮膚保護具、内側及び外側支持ギプスは、微細バクテリアが生息することを遮断するために殺菌剤及び抗菌剤が配合され、防水コーティング剤が混合されることを特徴とする医療用ギプスを提供する。
【００２３】
また、本発明は、前記機能性繊維は、ポリエステル糸とスパンカバーリング糸、ポリオレフィン、ポリプロピレン糸、コアテックス、オレフィン糸のいずれか一つであることを特徴とする医療用ギプスを提供する。
【発明の効果】
【００２４】
このような本発明によると、優れた通気性を有するように通気チャネルが形成され、水分の排出が容易であり、特殊綿糸材質を利用して製造することにより、優れた透過性を提供することができ、Ｘ−Ｒａｙ透過性を向上させて微細な骨癒合の進行状態を容易に確認できる効果がある。
【００２５】
また、本発明によると、身体の各関節及び屈曲部分に折り畳み現象がないように強力な密着力を提供し、支持体及び皮膚保護具に剛性補強手段が構成され、身体の荷重に十分に耐えられるようにすることで、使用者がより安らかに医療用ギプスを使用できる効果がある。
【００２６】
また、本発明によると、ギプスを外すとき、カッティング刃により患者の皮膚に発生する傷及び医療用ギプスと皮膚との直接的な摩擦によって発生する傷を防止し、二次感染が発生することを遮断できる効果がある。
【００２７】
また、本発明によると、ストッキングタイプで製造される医療用ギプスを提供することにより、様々な模様及び色相に製造できる効果がある。
【図面の簡単な説明】
【００２８】
【図１】本発明の好ましい第１実施例に係る医療用ギプスを示した図である。
【図２】本発明の好ましい第１実施例に係る医療用ギプスを示した図である。
【図３】本発明の好ましい第１実施例に係る医療用ギプスを示した図である。
【図４】本発明の好ましい第１実施例に係る医療用ギプスを示した要部断面図である。
【図５】本発明の好ましい第１実施例に係る医療用ギプスの着用過程を示した図である。
【図６】本発明の好ましい第２実施例に係る医療用ギプスを示した図である。
【図７】本発明の好ましい第２実施例に係る医療用ギプスの着用過程を示した図である。
【図８】本発明の好ましい第３実施例に係る医療用ギプスを示した図である。
【発明を実施するための形態】
【００２９】
以下、本発明の好ましい実施例を、添付の図面を参照して詳細に説明する。先ず、各図面の構成要素に参照符号を付するにあたって、同一の構成要素に対しては、異なる図面上に表示されても、可能な限り同一の符号を有するようにしていることに留意すべきである。また、本発明を説明するにあたって、関連の公知の構成または機能についての具体的な説明が本発明の要旨を濁す恐れがあると判断される場合は、その詳細な説明を省略する。
【００３０】
図１乃至図３は、本発明の好ましい第１実施例に係る医療用ギプスを示した図、図４は、本発明の好ましい第１実施例に係る医療用ギプスを示した要部断面図、図５は、本発明の好ましい第１実施例に係る医療用ギプスの着用過程を示した図、図６は、本発明の好ましい第２実施例に係る医療用ギプスを示した図、図７は、本発明の好ましい第２実施例に係る医療用ギプスの着用過程を示した図、図８は、本発明の好ましい第３実施例に係る医療用ギプスを示した図である。
【００３１】
図１乃至図３に示されたように、本発明の医療用ギプスは、身体部位のうち腕や脚の骨折部位を保護するために用いられるものであり、皮膚保護具１００及び内側支持ギプス２００と、外側支持ギプス３００からなるギプスを含んで構成される。
【００３２】
皮膚保護具１００は、施術がなされる身体部位のうち手首、または足首のような関節部位の伸縮性を向上させ、皮膚との密着力を極大化し、水分の吸収及び排出が容易であるように構成され、通風性を向上させることができるように、伸縮性に優れたポリエステル糸とスパンカバーリング糸、ポリオレフィン、ポリプロピレン糸、コアテックス、オレフィン糸のような機能性繊維を少なくとも２種類以上混用して作製し、網形態のひし形網穴が形成されるように製造することで、均一な通風口を確保すると同時に血行循環が円滑になされ得るように、伸縮性及び復原性を有するように製造される。
【００３３】
このような皮膚保護具１００は、繊維の表面に微細バクテリアが生息することを遮断するために、前述した機能性繊維と殺菌剤及び抗菌剤を配合し、防水コーティング剤を混合することにより、繊維そのものに殺菌及び抗菌性を有するように構成され得る。
【００３４】
併せて、本発明の皮膚保護具１００は、内層１１０と外層１２０からなる二重構造で構成されることにより、内層１１０は使用者、即ち、患者の皮膚に直接接触するように構成され、外層１２０はギプスの内側支持ギプス２００、または外側支持ギプス３００のいずれか一つの内面をなす綿糸と接するようにすることで、内層１１０により患者の皮膚を保護し、外層１２０から亀裂による衝撃をカバーすると同時に異物が流入することを防止するように構成される。
【００３５】
内側支持ギプス２００は、皮膚保護具１００、または患者の皮膚を包むように構成され、皮膚保護具１００が患者の皮膚にさらに密着するようにすると同時にギプスの一次剛性を提供する構成要素である。
【００３６】
即ち、本発明の内側支持ギプス２００は、二重構造となされており、内面支持ギプス２０２と、外面支持ギプス２０４とで構成され、内面支持ギプス２０２は、患者の皮膚に直接接触するように構成され、外面支持ギプス２０４は、医療用ギプスの外側支持ギプス３００の内面をなす綿糸と接するように構成され、内側支持ギプス２００の内面をなす内面支持ギプス２０２が皮膚保護具１００と同一の構成で構成され、この皮膚保護具１００の役割を同時に果たすことができるように構成されるものであって、本発明の医療用ギプスは、皮膚保護具１００を患者の患部位置、または骨折の程度によって選択的に使用できることはもちろん、施術の時間をさらに短縮することができるようになる。
【００３７】
このような内側支持ギプス２００の内面支持ギプス２０２は、ギプスの間に汗や老廃物が残らないようにして患部に雑菌が繁殖することを防止でき、各種の炎症、掻痒症、赤色斑及び痛みを最小化することができる。
【００３８】
また、内側支持ギプス２００の外面支持ギプス２０４は、内面支持ギプス２０２の外側面を包むように構成され、通気性を向上させるための内側通風チャネル２１０が形成され、患者の関節部分には、ギプスの伸縮性を向上させる密着補強部２４０が少なくとも二つ以上複数構成される。
【００３９】
ここで、内側通風チャネル２１０は、網形態のひし形網穴で形成され、網穴の広さは、０．６ｍｍの広さに製造されることが好ましいが、これに限定するものではない。
【００４０】
併せて、外面支持ギプス２０４の上側及び下側端部には、スパン糸からなり、所定の弾性圧力を提供して内側支持ギプス２００が安定的に使用者の患部、または皮膚保護具１００に固定され得るようにするしぼり端部２５０が構成される。
【００４１】
また、外面支持ギプス２０４の一面には、長手方向に沿って長く形成され、医療用ギプスの一次剛性を提供する内側剛性補強部２２０が構成され、この内側剛性補強部２２０は、両側に内側モールディング部２３０を通して内側通風チャネル２１０及び内面支持ギプス２０２と固定される。
【００４２】
即ち、内側通風チャネル２１０は、内側支持ギプス２００をなす内面支持ギプス２０２と外面支持ギプス２０４を一体に構成されるようにすると同時に高弾性力を有する内側剛性補強部２２０を固定させ、患者の患部、関節部を安定的に固定させるようにする。
【００４３】
特に、患者の患部が足首、脚のような身体の荷重が集中する部位である場合、内側モールディング部２３０で内側剛性補強部２２０を中心から外側方向に引っ張り、この内側剛性補強部２２０を通して患者の患部側に集中する荷重を分散させるようにすることで、患者の患部がさらに速かに治療され得るようになる。
【００４４】
このように構成された本発明の内側支持ギプス２００は、患者の人体構造によって、パイプ状、筌状、台形状、ポット状、扇形状、チューブ状、腕・脚状等、様々な形状に製造され得る。
【００４５】
外側支持ギプス３００は、内側支持ギプス２００を包むように構成され、水硬性硬化液を含浸させて硬化がなされるようにするものであり、外周面に沿って外側通風チャネル３１０が形成され、この外側通風チャネル３１０と連結構成され、所定の伸縮力を提供して患者の関節部が安らかに動くことができるように、密着補強部３４０が外側通風チャネル３１０の長手方向に沿って所定間隔離隔されるように少なくとも一つ以上複数構成される。
【００４６】
ここで、外側通風チャネル３１０は、ポリエステル糸とスパンカバーリング糸、ポリオレフィン、ポリプロピレン糸、コアテックス、オレフィン糸のような機能性繊維を少なくとも２種類以上混用して製織し、網形態のひし形網穴で形成し、網穴の広さは、０．２ｍｍ〜０．５ｍｍの広さに製造されることが好ましいが、これに限定するものではない。
【００４７】
また、外側支持ギプス３００には、内側支持ギプス２００と同様に、上側及び下側端部に医療用ギプスが固定され得るようにするしぼり端部３５０が構成される。
【００４８】
併せて、外側支持ギプス３００の外側一面には、医療用ギプスを除去するためにカッター刃が接触し、このカッター刃の進行方向を案内して医療用ギプスを除去するとき、患者の皮膚、または患部に傷が発生することを防止するカッター部３６０が形成され、このカッター部３６０の両側には、外側支持ギプス３００の剛性を補強する一方、医療用ギプスの二次剛性を提供する外側剛性補強部３２０と、この外側剛性補強部３２０をモールディング処理する外側モールディング部３３０が構成される。
【００４９】
このように構成された本発明の外側支持ギプス３００は、内側支持ギプス２００と同一の形状に形成されるものであり、患者の人体構造によって、パイプ状、筌状、台形状、ポット状、扇形状、腕・脚状等、様々な形状に製造される。
【００５０】
一方、本発明の外側支持ギプス３００の外面には、外側通風チャネル３１０の製造の際、少なくとも２種類以上の様々な色を被せるか、または様々なデザインからなる文句及び装飾句を製織して、より美麗な医療用ギプスを提供することができる。
【００５１】
このように構成された本発明の医療用ギプスは、図５に示されたように、皮膚保護具１００、または内側支持ギプス２００が患者の患部を包んで着用がなされ、以後、外側支持ギプス３００を二重に内側支持ギプス２００の外側部を包むように広げて着用がなされるようにすることで、医療用ギプスの施術時間を大幅に短縮することができるだけでなく、患者の患部と関係なく均一な圧力を提供して安らかな着用感を提供できるようになる。
【００５２】
内側支持ギプス２００の上端部に構成されたしぼり端部２５０と、外側支持ギプス３００の上端部に構成されたしぼり端部３５０とを連結する連結ライン４１０を通して一体に構成することにより、互いに対称となるように構成して、施術の際、内側支持ギプス２００を外側支持ギプス３００の内面に押し込むことで、二重に構成された医療用ギプスがなされるようにした後、これを患者の患部、または皮膚保護具１００の外側に巻き上げるように着用させ、医療用ギプスの施術時間をさらに短縮することができるようになるものである。
【００５３】
特に、図６に示されたように、患者の骨折部位が下半身、言い換えれば、膝、足首、足指等に発生した場合、ギプスの着用がさらに便利になされ得るように、足首部分及びかかと部分が一体に構成されるように形成することで、その形状が靴下の形状になされるようにして患者の骨折部の保護効果を向上させることができ、さらに足首部分とかかと部分のギプス組織形状を互いに対応する形状に製織されるように形成することで、内側支持ギプス２００と外側支持ギプス３００が重なり合うことを防止し、ギプスの施術が簡便でさらに便利に着用が可能であることはもちろんである。
【００５４】
また、図８に示されたように、本発明の内側支持ギプス２００または外側支持ギプス３００のいずれか一つには、脱着部５１０が構成されてもよい。
【００５５】
ここで、脱着部５１０は、所定の接着力を有し、人体に無害なものであれば、いかなるものを用いても構わないが、本発明においては、ベルクロ（登録商標）テープで構成され、患者の患部を包むように着用されるようにすることで、医療用ギプスの施術時間を大幅に短縮することができるだけでなく、患者の患部と関係なく均一な圧力を提供して安らかな着用感を提供することができるようになる。
【００５６】
即ち、本発明の脱着部５１０が内側支持ギプス２００に構成される場合は、患者の患部との接触を最小化することができ、これと同時に患部に加えられる圧力を均一に提供して安らかにギプスを着用することができるだけでなく、身体の各関節及び屈曲部分に折り畳み現象がないように強力な密着力を提供することができる。
【００５７】
また、外側支持ギプス３００に脱着部５１０が構成される場合は、医療用ギプスの施術時間を大幅に短縮することができるだけでなく、患者の患部と関係なく均一な圧力を提供して安らかな着用感を提供することができる。
【００５８】
併せて、本発明の医療用ギプスは、皮膚保護具１００の作製の際、患者の皮膚との接触部分に塵埃細菌、アトピー性皮膚炎を発生させる空気浮遊細菌、病原性細菌、突然変異性バクテリアが生息することを遮断し、皮膚掻痒症のような疾患が発生することを防止すると同時に治療効果をさらに極大化できるように遠赤外線の投入がなされるように構成される。
【００５９】
即ち、本発明の皮膚保護具１００の作製が完了すれば、この皮膚保護具１００を遠赤外線発生器に投入するか、または無機鉱物質を微粉末化、または液状化して皮膚保護具１００に投入させ、遠赤外線が皮膚保護具１００に浸透できるようにすることで、患者が製品の着用時に骨折部位の接合、各種の傷及び疾患の治療が効果的になされるようにすることができる。
【００６０】
このとき、皮膚保護具１００の表面に２μｍ〜５μｍの粒径を有する合成ゼオライト（Ｓｙｎｔｈｅｔｉｃ  Ｚｅｏｌｉｔｅ）と、二酸化チタン（ＴｉＯ２）、ルチル（Ｒｕｔｉｌ）、アナターゼ（Ａｎａｔａｓｅ）、ブルッカイト（Ｂｒｏｏｋｉｔｅ）、カルシウム（Ｃａ）、天然ミネラル（Ｎａｔｕｒａｌ  ｍｉｎｅｒａｌ）、セリサイト（Ｓｅｒｉｃｉｔｅ）のいずれか一つまたは二つ以上が混合された合成光触媒剤を一定重量で混合し、混合された混合組成物を塗布して遠赤外線の放射がなされるように構成される。
【００６１】
一方、前述した混合組成物は、全重量において、合成ゼオライト１０〜４０重量％、二酸化チタン５〜８重量％、ルチル８〜１０重量％、アナターゼ１２〜１７重量％、ブルッカイト１５〜２０重量％、カルシウム７〜１４重量％、天然ミネラル５〜８重量％、セリサイト８〜１３重量％を混合した混合組成物で構成される。
【００６２】
また、合成光触媒剤（Ｓｙｎｔｈｅｔｉｃ  Ｐｈｏｔｏ  Ｃａｔａｌｙｓｔｓ）は、０．２μｍ〜０．３μｍに薄化してなるものを用いて合成ゼオライトと混合され、混合が完了すれば、この合成組成物を遠赤外線発生器に投入して塗布及び乾燥がなされるようにすることで、合成ゼオライト、合成光触媒剤及び遠赤外線が放射され得るようにすることが好ましいが、これに限定するものではない。
【００６３】
以上の説明は、本発明の技術思想を例示的に説明したことに過ぎないものであって、本発明の属する技術の分野における通常の知識を有する者であれば、本発明の本質的な特性から外れない範囲で様々な修正及び変形が可能であるだろう。従って、本発明に開示された実施例は、本発明の技術思想を限定するためのものではなく、説明するためのものであり、このような実施例によって本発明の技術思想の範囲が限定されるものではない。本発明の保護範囲は、下記の請求の範囲によって解釈されるべきであり、それと同等な範囲内にある全ての技術思想は、本発明の権利範囲に含まれるものと解釈されるべきである。
【図１】
2016538100.tif 000003
【図２】
2016538100.tif 000004
【図３】
2016538100.tif 000005
【図４】
2016538100.tif 000006
【図５】
2016538100.tif 000007
【図６】
2016538100.tif 000008
【図７】
2016538100.tif 000009
【図８】
2016538100.tif 000010
【国際調査報告】
2016538100.tif 000011
2016538100.tif 000012
2016538100.tif 000013
2016538100.tif 000014